(57)【要約】【課題】メダル補給扉を開けたときにロック部材が作業の邪魔にならない状態で鍵板を鍵穴から引き抜くことのできるようにしたシリンダーキーを用いた施錠機構を提案すること。【解決手段】メダル補給扉６の施錠機構のキーシリンダ３０では、メダル補給扉６を開けた状態において、鍵板４０を引き抜き可能な状態のままでキーシリンダ３０の全体を、第２位置３４Ｂまで回転可能としてある。第２位置３４Ｂまで回転させることにより、ロック部材３３が、メダル補給口に突出していない状態を形成できる。よって、メダル補給扉６を開けた状態において、キーシリンダ３０のロック部材３３が作業の邪魔になることが無く、また、その状態で鍵板４０を鍵穴３２から抜き取ることができる。【選択図】図３
2007297789.tif 000002
【特許請求の範囲】
【請求項１】
鍵板を、キーシリンダ回転軸に形成されている鍵穴に差し込むと、キーシリンダ本体とキーシリンダ回転軸の係合が解除され、当該キーシリンダ回転軸がその軸線周りに、ロック位置から第１回転方向に所定角度だけ回転したアンロック位置までの範囲内で、前記キーシリンダ本体に対して相対回転可能となり、前記鍵穴から前記鍵板を引き抜くためには前記キーシリンダ回転軸を前記ロック位置に戻す必要のあるシリンダーキーを用いた開閉扉の施錠機構において、
前記キーシリンダ本体をその軸線周りに、第１位置から前記第１回転方向とは逆の第２回転方向に所定量だけ回転した第２位置まで回転可能な状態で支持している支持部と、
前記開閉扉が閉じている状態では前記キーシリンダ本体の回転を阻止している回転阻止部と、
を有していることを特徴とするシリンダーキーを用いた開閉扉の施錠機構。
【請求項２】
請求項１において、
前記支持部は、
前記キーシリンダ本体を回転可能な状態で支持している支持穴と、
前記キーシリンダ本体と一体回転する回転板と、
前記回転板の前記第１回転方向の回転が前記第１位置を越えないように規制している第１回転阻止部材と、
前記回転板の前記第２回転方向の回転が前記第２位置を越えないように規制している第２回転阻止部材とを備えていることを特徴とするシリンダーキーを用いた開閉扉の施錠機構。
【請求項３】
請求項２において、
前記回転阻止部は、
前記第１回転阻止部材と、
前記開閉扉を閉じた状態において、第１位置にある前記回転板に当接して当該回転板の第２回転方向の回転を阻止する第３回転阻止部材とを備えていることを特徴とするシリンダーキーを用いた開閉扉の施錠機構。
【請求項４】
請求項１ないし３のうちのいずれかの項において、
前記キーシリンダ本体が前記第２位置にあり、前記キーシリンダ回転軸が前記ロック位置にある状態では、前記ロック部材が、前記開閉扉によって開閉される開口部に突出しないようになっていることを特徴とするシリンダーキーを用いた開閉扉の施錠開錠機構。
【請求項５】
請求項１ないし４のうちのいずれかの項において、
前記キーシリンダ回転軸に対してその軸線周りに回転力を付与している付勢部材を有しており、
前記キーシリンダ本体が前記第１位置にあり、前記キーシリンダ回転軸が前記ロック位置にある状態では、第２回転方向への回転力が前記キーシリンダ回転軸に作用し、
前記キーシリンダ本体が前記第１位置にあり、前記キーシリンダ回転軸が前記アンロック位置にある状態では、第１回転方向への回転力が前記キーシリンダ回転軸に作用し、
前記キーシリンダ本体が前記第２位置にある状態では、前記第２回転方向への回転力が前記キーシリンダ回転軸に作用することを特徴とするシリンダーキーを用いた開閉扉の施錠開錠機構。
【発明の詳細な説明】
【技術分野】
【０００１】
本発明は、鍵板を鍵穴に差し込んで回すと施錠状態が解除されて開錠状態に切り替わり、鍵穴から鍵板を引き抜くためには鍵板を再び施錠状態まで戻す必要のあるシリンダーキーを用いた開閉扉の施錠機構に関するものである。さらに詳しくは、開閉扉を開けた状態で鍵板を鍵穴から抜き取るためにキーシリンダを施錠状態に戻した場合に、当該キーシリンダのロック部材が開閉扉によって開閉される開口部に突出しないように構成したシリンダーキーを用いた開閉扉の施錠機構に関するものである。
【背景技術】
【０００２】
この種の構造のシリンダーキーは開閉扉の施錠のために広く使用されている。例えば、遊技店などに設置されているメダル貸し機におけるメダル補給口や硬貨補給口の開閉扉、ロッカー、ポスト類、電源操作盤、各種のオペレータ盤、各種のメンテナンス用開口部などの開閉扉に用いられている。これらの開口部は、開閉扉を開けて、作業員などが手を入れて所定の操作や作業を行うために利用される。
【０００３】
図５(ａ)はシリンダーキーによる施錠機構を備えた従来のメダル貸し機を示す概略外観斜視図であり、図５(ｂ)はその補給扉の部分を示す部分断面図である。メダル貸し機１は、縦長の直方体形状をした筐体２を備えており、この筐体２の前面の上側部分には硬貨投入口３および紙幣挿入口４が形成され、内部には貨幣処理機構(図示せず)が配置されている。硬貨投入口３および紙幣挿入口４の下側には矩形の開口部５が形成されており、この開口部５は開閉可能な矩形のメダル補給扉６によって封鎖されている。このメダル補給扉６の下側にはメダル投出用の受け皿８が配置されており、当該部分の筐体内部にはメダル集積部およびメダル投出機構(図示せず)が配置されている。
【０００４】
メダル補給扉６はその下端に取り付けたヒンジ７を中心として前方に開けることができる開閉扉であり、その上端部の中央部分にはシリンダーキーからなる施錠機構が取り付けられている。メダル補給扉６の側縁部分には円弧状のガイド溝９ａが形成されたガイド板９が取り付けられている。ガイド溝９ａに沿って、筐体２に取り付けたガイドピン２ａがスライドするようになっており、これらにより、メダル補給扉６の開度が規定されている。
【０００５】
メダル補給扉６の施錠機構は、キーシリンダ１１と、鍵板(キープレート)２０と、筐体２の側に形成されている係合用の張り出し部２ｂを備えている。図５(ａ)に示す施錠状態にあるキーシリンダ１１の鍵穴１２に鍵板２０を差し込み、図面に向かって右回りに鍵板２０を回すと、キーシリンダ１１のロック部材１３が開口部５の上縁部分に形成した内側への張り出し部２ｂから外れる。この結果、施錠状態が解除される。
【０００６】
図６(ａ)〜(ｃ)はそれぞれ、キーシリンダ１１を示す側面図、キーシリンダの背面図、および、ロック部材の平面図である。キーシリンダ１１は、キーシリンダ本体１４と、このキーシリンダ本体１４の中心を同軸状態で貫通して延びるキーシリンダ回転軸１５と、キーシリンダ回転軸１５に一体回転するように取り付けた細長い矩形のロック部材１３を備えている。
【０００７】
キーシリンダ本体１４はメダル補給扉６に対して貫通した状態で取り付けられており、大ナット１６によって当該メダル補給扉６に締結固定されている。キーシリンダ回転軸１５の後側の軸端部１５ａは図５(ｂ)から分かるように、円形断面の軸の直径方向の両端部分を平面状に切り取った断面形状とされており、当該断面形状の軸端部を嵌め込み可能な穴１３ａがロック部材１３に形成されている。ロック部材１３は、その穴１３ａにキーシリンダ回転軸１５の軸端部が貫通した状態で、小ナット１７によって抜け出ないように当該キーシリンダ回転軸１５に固定されている。
【０００８】
キーシリンダ本体１４とキーシリンダ回転軸１５は不図示の複数本のピンによって相対回転不可の状態に係合している。鍵板２０を差し込むとこれらの係合状態が解除され、鍵板２０を回すと、キーシリンダ回転軸１５がキーシリンダ本体１４に対して相対回転し、キーシリンダ回転軸１５と一体回転するロック部材１３も一緒に回転する。キーシリンダ回転軸１５の回転可能な方向は一方向に定められており、また、その回転可能な角度範囲も一般に７５〜９０度の範囲に制限されている。
【０００９】
キーシリンダ回転軸１５に差し込んだ鍵板２０は、キーシリンダ回転軸１５を回した状態ではその鍵穴から抜き取ることができず、キーシリンダ回転軸１５を元の位置、すなわち、ロック位置に戻すと抜き取ることができるように構成されている。
【００１０】
図７(ａ)および(ｂ)は、メダル補給扉６の施錠を解除して開いた状態を示す部分斜視図および部分断面図である。この状態では、鍵穴１２に差し込まれた鍵板２０が９０度回され、ロック部材１３は水平に倒れたアンロック位置１３Ｂにある。また、メダル補給扉６はガイド溝９ａの端とガイドピン２ａとの係合によって規定される開度で開いている。メダル補給扉６が開くと、当該メダル補給扉６の本体板部分６ａおよび、この左右の側板部分６ｂ、６ｃと、筐体２側の開口部５の上縁部分５ａとによって規定される矩形のメダル補給口２１が開放状態になり、ここを介してメダル(図示せず)の補給が行われる。
【００１１】
この状態では、先に述べたように、鍵板２０を鍵穴１２から抜き取ることができない。鍵板２０を抜き取るためには、鍵板２０を再び元の位置まで回す必要がある。
【００１２】
図８(ａ)および(ｂ)は、メダル補給扉６を開けたまま、鍵板２０を元の位置まで戻して抜き取った状態を示す部分斜視図および部分断面図である。この状態では、ロック部材１３が垂直に立ったロック位置１３Ａに戻り、メダル補給扉６の本体板部分６ａの上縁から上方に突出した状態となっている。
【発明の開示】
【発明が解決しようとする課題】
【００１３】
ここで、遊技店の店員、メンテナンスを行う作業員などは、多種多様の鍵板類を束にして所持し、鍵束と着衣などをロープ、ケーブル、カールコード等によって連結していることが多い。このため、メダル補給扉６を開けた後は、鍵板２０を鍵穴１２から抜き取らないと、メダル補給などの作業の邪魔になってしまう。特に、同時に複数箇所の開閉扉を開けて同時に、あるいは連続して作業を行う場合は、鍵板２０から鍵穴１２を抜き取る必要がある。
【００１４】
先に述べたように、鍵板２０を鍵穴１２から抜き取るためには、キーシリンダ１１のロック部材１３をロック位置１３Ａに戻す必要がある。ロック部材１３がロック位置１３Ａに戻ると、図８に示すように、メダル補給扉６の上縁からロック部材１３が突出した状態になる。この状態でメダル補給などの作業を行うと、作業員の手や腕がロック部材１３に接触しやすい。このため、ロック部材１３に当たらないように注意しながら作業を行う必要があり、不便である。また、ロック部材１３に当たって怪我をするおそれもある。
【００１５】
本発明の課題は、このような点に鑑みて、開閉扉を開けたときに、ロック部材が作業の邪魔にならない状態で鍵板を鍵穴から引き抜くことのできるようにしたシリンダーキーを用いた開閉扉の施錠機構を提案することにある。
【課題を解決するための手段】
【００１６】
上記の課題を解決するために、本発明は、鍵板を、キーシリンダ回転軸に形成されている鍵穴に差し込むと、キーシリンダ本体とキーシリンダ回転軸の係合が解除され、当該キーシリンダ回転軸がその軸線周りに、ロック位置から第１回転方向に所定角度だけ回転したアンロック位置までの範囲内で、前記キーシリンダ本体に対して相対回転可能となり、前記鍵穴から前記鍵板を引き抜くためには前記キーシリンダ回転軸を前記ロック位置に戻す必要のあるシリンダーキーを用いた開閉扉の施錠機構において、
前記キーシリンダ本体をその軸線周りに、第１位置から前記第１回転方向とは逆の第２回転方向に所定量だけ回転した第２位置まで回転可能な状態で支持している支持部と、
前記開閉扉が閉じている状態では前記キーシリンダ本体の回転を阻止している回転阻止部とを有していることを特徴としている。
【００１７】
本発明では、施錠状態にあるキーシリンダの鍵穴に鍵板を差し込み、第１回転方向に回すと、キーシリンダ本体は第１位置に保持されたままで、キーシリンダ回転軸が第１回転方向に回転し、当該キーシリンダ回転軸と一体回転するロック部材がロック位置からアンロック位置まで回転し、そこに止まる。ロック部材がアンロック位置まで回転すると、開錠状態になり、開閉扉を開けることができる。
【００１８】
開閉扉を開けた状態において、鍵板を逆に第２回転方向に回すとキーシリンダ回転軸およびロック部材が元のロック位置まで戻る。ロック位置まで戻った後は、キーシリンダ回転軸はキーシリンダ本体に係合して、それ以上第２回転方向へ相対回転することが構造上できない。この状態ではロック部材がロック位置に戻っているので、開閉扉を開けることによって開いた開口部にロック部材が突出した状態になる。
【００１９】
ここで、本発明では、開閉扉を開けた状態においては、キーシリンダ本体がその軸線周りに、第１位置から第２回転方向に回転可能である。したがって、鍵板をロック位置から更に第２回転方向に回すと、キーシリンダ回転軸およびロック部材と、キーシリンダ本体とが第２回転方向に一体となって回転する。すなわち、鍵板を引き抜き可能な状態のままで、キーシリンダが全体として第２回転方向に回転して、第２位置に至る。この第２位置を適切に設定しておくことにより、当該第２位置に至ったときに、ロック部材が開口部に突出しない状態にすることができる。
【００２０】
したがって、本発明では、ロック部材が開口部に突出していない状態で、鍵板を鍵穴から引き抜くことができる。よって、ロック部材が、開口部を介して行う作業の邪魔になることがない。
【００２１】
なお、開閉扉を閉じて施錠する場合には、開閉蓋を閉じる前に、まず、鍵板を鍵穴に差し込み、鍵板を第１回転方向に回転して、ロック部材をアンロック位置まで回転する。しかる後に、開閉扉を閉じて、鍵板を第２回転方向に回転する。開閉扉を閉じた状態では、キーシリンダ本体の回転が阻止されているので、キーシリンダ回転軸およびロック部材がロック位置に至ると、それらの回転が阻止され、ロック位置に位置決めされる。これにより、施錠状態が形成される。
【００２２】
ここで、本発明において、前記支持部は、前記キーシリンダ本体を回転可能な状態で支持している支持穴と、前記キーシリンダ本体と一体回転する回転板と、前記回転板の第１回転方向の回転が前記第１位置を越えないように規制している第１回転阻止部材と、前記回転板の第２回転方向の回転が前記第２位置を越えないように規制している第２回転阻止部材とを備えた構成とすることができる。
【００２３】
また、前記回転阻止部は、前記第１回転阻止部材と、前記開閉扉を閉じた状態において、第１位置にある前記回転板に当接して当該回転板の第２回転方向の回転を阻止する第３回転阻止部材とを備えた構成とすることができる。
【００２４】
次に、本発明において、前記キーシリンダ本体が前記第２位置にあり、前記キーシリンダ回転軸が前記ロック位置にある状態では、前記ロック部材が、前記開閉蓋によって開閉される開口部に突出しないようにすることが望ましい。
【００２５】
また、本発明において、前記キーシリンダ回転軸に対してその軸線周りに回転力を付与している付勢部材を配置し、前記キーシリンダ本体が前記第１位置にあり、前記キーシリンダ回転軸が前記ロック位置にある状態では、第２回転方向への回転力が前記キーシリンダ回転軸に作用し、前記キーシリンダ本体が前記第１位置にあり、前記キーシリンダ回転軸が前記アンロック位置にある状態では、第１回転方向への回転力が前記キーシリンダ回転軸に作用し、前記キーシリンダ本体が前記第２位置にある状態では、前記第２回転方向への回転力が前記キーシリンダ回転軸に作用するようにすることが望ましい。
【００２６】
このようにすれば、開閉扉を開けたときにはロック部材がアンロック位置に付勢される。また、開閉扉を開けた状態において鍵板を第２回転方向に回すと、キーシリンダ回転軸に対してそれを第２回転方向に回す方向の付勢力が作用する。したがって、開閉扉を開けた後に、ロック部材をロック位置に戻した状態でキーシリンダ本体を第１位置を経由して第２位置まで回転させる操作を簡単に行うことができる。
【発明の効果】
【００２７】
本発明のシリンダーキーを用いた開閉蓋の施錠機構では、開閉扉を開けた状態において、鍵板を引き抜き可能な状態のままでキーシリンダの全体を、第２位置まで回転可能としてある。第２位置まで回転させることにより、ロック部材が、開閉扉を開けることにより開かれた開口部に突出していない状態、あるいは、突出量が実際上において障害とならない程度の状態を形成できる。よって、本発明によれば、開閉扉を開けた状態において、シリンダーキーのロック部材が作業の邪魔になることが無い。
【発明を実施するための最良の形態】
【００２８】
以下に、図面を参照して、本発明を適用したシリンダーキーを用いた開閉扉の施錠機構の実施の形態を説明する。
【００２９】
図１(ａ)〜(ｃ)は本発明を適用した施錠機構を示す部分正面図、部分断面図および部分背面図である。図示の例は、メダル貸し機のメダル補給扉に本発明によるシリンダーキーによる施錠機構を適用したものである。メダル貸し機の基本構成は図６〜図９に示すものと同一であるので、対応する部位には同一の符号を付し、以下の説明では必要な部分のみ説明する。
【００３０】
メダル貸し機１は、縦長の直方体形状をした筐体２を備えており、この筐体２の前面における上下方向の中央部分に矩形の開口部５が形成されている。開口部５は対応する矩形形状のメダル補給扉６によって封鎖されている。メダル補給扉６はその下端に取り付けたヒンジ７を中心として前方に開けることができる開閉扉であり、その上端部の中央部分にはシリンダーキーを備えた施錠機構が取り付けられている。メダル補給扉６の側縁部分には円弧状のガイド溝９ａが形成されたガイド板９が取り付けられている。ガイド溝９ａに沿って、筐体２に取り付けたガイドピン２ａがスライドするようになっており、これらにより、メダル補給扉６の開度が規定されている。
【００３１】
メダル補給扉６の施錠機構は、キーシリンダ３０と、鍵板(キープレート)４０と、筐体２の側に形成されている係合用の張り出し部２ｂを備えている。キーシリンダ３０は、キーシリンダ本体３４と、この中心を貫通して延びているキーシリンダ回転軸３５と、キーシリンダ回転軸３５に一体回転するように取り付けたロック部材３３を備えている。キーシリンダ本体３４はその軸線周りに回転可能な状態でメダル補給扉６に取り付けられている。
【００３２】
キーシリンダ本体３４には一体回転するように回転板３８が取り付けられており、当該回転板３８の回転が、メダル補給扉６の背面に取り付けた第１回転阻止部材５１、第２回転阻止部材５２によって規制されている。また、当該回転板３８の回転が、当該回転板３８に形成した突出部３８ａの上端面３８ｃが筐体側の張り出し部２ｂの下面部分２ｃ(第３回転阻止部材)に当接することにより規制されるようになっている。一方、ロック部材３３とメダル補給扉６の本体板部分６ａとの間には、棒バネ５４が湾曲状態となるように架け渡されている。
【００３３】
図２(ａ)〜(ｄ)は、キーシリンダの側面図、その回転板３８の正面図、キーシリンダの背面図およびロック部材の説明図である。これらの図も参照して、キーシリンダ３０を詳細に説明する。キーシリンダ本体３４は円形断面の直径方向の両端部分を平坦となるように切断した断面形状をしており、これに対応する形状の穴３８ｂが回転板３８に形成されており、回転板３８がキーシリンダ本体３４と一体回転するようになっている。キーシリンダ本体３４はメダル補給扉６の本体板部分６ａに形成された装着穴６ｄを貫通した状態に配置されている。装着穴６ｄは円形穴であり、キーシリンダ本体３４はその軸線周りに回転可能な状態でメダル補給扉６に取り付けられている。また、当該キーシリンダ本体３４は、わずかな隙間Δを確保した状態で、滑りワッシャなどを介して、回転板３８に対して２個の大ナット１６ａ、１６ｂによって固定されている。
【００３４】
ロック部材３３には、その隅部に連結穴３３ａが形成されており、ここに、棒バネ５４の上端部が連結固定されている。棒バネ５４の下端は、メダル補給扉６の本体板部分６ａにおける下方のヒンジ７の近傍位置に連結固定されている。棒バネ５４は湾曲状態に架け渡されており、常に、ロック部材３３を介してキーシリンダ回転軸３５に対してその軸線周りの回転トルクを与えている。この回転トルクの方向は、後述のように、キーシリンダ３０の各部の回転位置に応じて切り替わるように設定されている。
【００３５】
ここで、メダル補給扉６が閉じた施錠状態においては、図１に示すように、キーシリンダ本体３４の第１回転方向Ａおよび第２回転方向Ｂのいずれの回転も阻止された状態で第１位置３４Ａに位置している。すなわち、キーシリンダ本体３４に固定した回転板３８の突出部３８ａの上端面３８ｃが筐体側の張り出し部２ｂの下面部分２ｃに下側から当接し、同時に、当該突出部３８ａの端面３８ｄがメダル補給扉側の第１回転阻止部材５１に当接している。また、ロック部材３３は上向きの垂直姿勢となったロック位置３３Ａにあり、その上端部分が筐体側の張り出し部２ｂに係合している。
【００３６】
この状態において、鍵板４０を鍵穴３２に差し込み、図１(ｃ)において第１回転方向Ａに回すと、従来のシリンダーキーと同様に、キーシリンダ回転軸３５のみが回転し、それと一体回転するロック部材３３をアンロック位置３３Ｂまで回転させることができる。例えば、ロック位置３３Ａから９０度だけ第１回転方向Ａに回転した位置がアンロック位置３３Ｂとされている。
【００３７】
一方、メダル補給扉６を開けた状態では、回転板３８の突出部３８ａの上端面３８ｃが、筐体側の張り出し部２ｂの下面部分２ｃから外れる。したがって、回転板３８の第２回転方向Ｂへの回転が可能となる。鍵板４０を鍵穴３２に差し込んだ状態で、鍵板４０を第２回転方向Ｂに回すと、ロック部材３３がアンロック位置３３Ｂからロック位置３３Ａまで回転する間は、ロック部材３３およびキーシリンダ回転軸３５のみが回転する。ロック部材３３がロック位置３３Ａに至ると、シリンダーキーの構造上、キーシリンダ回転軸３５がキーシリンダ本体３４に係合するので、これ以後は、キーシリンダ本体３４も一緒に第２回転方向Ｂに回転することになる。換言すると、キーシリンダ３０が、各部３３、３５、３４の相対回転位置を保持したまま、全体として第２回転方向Ｂに回転する。
【００３８】
ここで、メダル補給扉６の背面には、回転板３８の突出部３８ａにおける上端面３８ｃの第２回転方向Ｂの回転軌跡上に、第２回転阻止部材５２が配置されている。例えば９０度だけ回転した位置に第２回転阻止部材５２が配置されている。第２回転阻止部材５２に当たることによって、キーシリンダ３０の回転が阻止され、当該第２回転阻止部材５２によって規定される第２位置３４Ｂにキーシリンダ本体３４が止まることになる。
【００３９】
次に、図３および図４は本例のキーシリンダ３０の動作を示す説明図である。図３(ａ)および(ｂ)はメダル補給扉６の施錠を解除した直後の状態を示す説明図であり、(ｃ)および(ｄ)はメダル補給扉６を開けた状態でロック部材３３を再びロック位置３３Ａに戻した状態を示す説明図であり、(ｅ)および(ｆ)はメダル補給扉６を開けた状態において更にロック部材３３が反対側に倒れる状態となるまで回転させた状態を示す説明図である。図４は図３(ｅ)および(ｆ)の状態を示す部分断面図である。
【００４０】
これらの図も参照して、本例の施錠機構の動作を纏めて説明する。まず、図１に示す施錠状態にあるキーシリンダ３０の鍵穴３２に鍵板４０を差し込み、第１回転方向Ａに回すと、キーシリンダ本体３４は第１位置３４Ａに保持されたままで、キーシリンダ回転軸３５が第１回転方向Ａに回転し、当該キーシリンダ回転軸３５と一体回転するロック部材３３がロック位置３３Ａからアンロック位置３３Ｂまで回転し、そこに止まり、図３(ａ)および(ｂ)の状態になる。かかる動作は従来のシリンダーキーと同様である。この結果、ロック部材３３が筐体側の張り出し部２ｂから外れた施錠解除状態になり、メダル補給扉６を開けることができる。
【００４１】
この状態においては、棒バネ５４からロック部材３３には第１回転方向Ａに向かう回転トルクが作用する。よって、ロック部材３３がアンロック位置に保持される。また、鍵板４０を鍵穴３２から抜くことができない。
【００４２】
次に、メダル補給扉６を開けた状態において、鍵板４０を逆に第２回転方向Ｂに回すと、キーシリンダ回転軸３５およびロック部材３３が元のロック位置３３Ａまで戻る。ここで、ロック部材３３と棒バネ５４の連結位置がキーシリンダ３０の中心軸線に対して反対側に移動した後は、棒バネ５４によってロック部材３３を介してキーシリンダ回転軸３５に対して第２回転方向Ｂの回転トルクが作用し、ロック位置への操作を簡単に行うことができる。
【００４３】
ここで、各部の摩擦の状態、棒バネ５４の回転トルクの大きさなどの要因によって、キーシリンダ回転軸３５とキーシリンダ本体３４は一体となって第２回転方向に回転する場合もあれば、キーシリンダ回転軸３５の回転が先行する場合もある。あるいは、キーシリンダ本体３４が回転しない場合もある。
【００４４】
キーシリンダ回転軸３５が一体となって回転する場合には、ロック部材３３がロック位置３３Ａに戻ったときには、キーシリンダ本体３４と一体回転する回転板３８の突出部３８ａの上端面３８ｃが第２回転阻止部材５２に当接した状態になる。図３(ｃ)および(ｄ)にはこの状態を示してある。この状態ではロック部材３３がロック位置３３Ａに戻っているので、メダル補給扉６の上縁から上方にロック部材３３が突出した状態になる。
【００４５】
いずれの場合であっても、ロック部材３３がロック位置３３Ａまで戻った後は、キーシリンダ回転軸３５がキーシリンダ本体３４に係合して、それ以上第２回転方向Ｂへ相対回転することが構造上できない。したがって、これ以後は第２回転方向Ｂへキーシリンダ回転軸３５およびキーシリンダ本体３４が一体となって回転する。すなわち、ロック部材３３がロック位置３３Ａにある相対回転位置が保持されたままキーシリンダ３０の全体が回転する。換言すると、鍵板４０を鍵穴３２から引き抜き可能な状態が保持されたまま、第２回転方向Ｂに回転して、図３(ｅ)および(ｆ)並びに図４に示す状態が形成される。
【００４６】
ここで、棒バネ５４によって、ロック部材３３には第２回転方向の回転トルクが常時作用している。したがって、鍵板４０の操作を簡単に行うことができる。また、図３(ｅ)、(ｆ)に示す状態から逆方向にキーシリンダ３０の各部分が回転しないように保持されるので、ロック部材３３が回転して、メダル補給扉６の上縁から突出した状態になってしまうことも防止される。さらに、人為的に回転させた場合でも、棒バネ５４の回転トルクによって回転が戻されるので、ロック部材３３が突出することがない。
【００４７】
この状態においては、キーシリンダ回転軸３５はロック位置にあるので、鍵板４０を鍵穴３２から引き抜くことができる。
【００４８】
このように、本例では、ロック部材３３が開口部５に突出していない状態で、鍵板４０を鍵穴３２から引き抜くことができる。よって、ロック部材３３が作業の邪魔になることがない。また、本例の施錠機構は、従来のシリンダーキーに対して、回転板３８、第１および第２回転阻止部材５１、５２を付加するだけでよいので、廉価に構築できるという利点もある。
【００４９】
なお、メダル補給扉６を閉じて施錠する場合には、メダル補給扉６を閉じる前に、まず、鍵板４０を鍵穴３２に差し込み、鍵板４０を第１回転方向Ａに回転して、ロック部材３３が反対側に倒れたアンロック位置３３Ｂまで回転する(図３(ａ)、(ｂ))。しかる後に、メダル補給扉６を閉じて、鍵板４０を第２回転方向Ｂに回転する。メダル補給扉６を閉じた状態では、キーシリンダ本体３４の回転が阻止されているので、キーシリンダ回転軸３５およびロック部材３３がロック位置３３Ａに至ると、それらの回転が阻止され、ロック位置３３Ａに位置決めされる。これにより、施錠状態が形成される(図１参照)。
【００５０】
(その他の実施の形態)
上記の例はメダル補給扉の施錠機構に本発明を適用したものである。本発明は、メダル補給扉以外の各種の開閉扉の施錠機構として用いることができる。
【００５１】
また、上記の例では棒バネ５４を用いているが、この代わりに、板バネ、トーションバーなどの各種のバネ要素を用いることができる。
【００５２】
さらに、上記の例では、キーシリンダ３０をメダル補給扉６の側に取り付けてあるが、キーシリンダ３０、回転阻止部材５１、５２を筐体２の側に取り付け、キーシリンダ３０のロック部材３３が係合する張り出し部２ｂおよび下面部分２ｃに対応する部位をメダル補給扉６の側に設けても良いことは勿論である。
【図面の簡単な説明】
【００５３】
【図１】(ａ)〜(ｃ)は本発明を適用した施錠機構を示す部分正面図、部分断面図および部分背面図である。
【図２】(ａ)〜(ｄ)は、キーシリンダの側面図、その回転板の正面図、キーシリンダの背面図およびロック部材の正面図である。
【図３】(ａ)および(ｂ)はメダル補給扉の施錠を解除した直後の状態を示す説明図であり、(ｃ)および(ｄ)はメダル補給扉を開けた状態でロック部材を再びロック位置に戻した状態を示す説明図であり、(ｅ)および(ｆ)はメダル補給扉を開けた状態において更にロック部材が反対側に倒れる状態となるまで回転させた状態を示す説明図である。
【図４】図３(ｅ)および(ｆ)の状態を示す部分断面図である。
【図５】(ａ)および(ｂ)は、シリンダーキーによる施錠機構を備えた従来のメダル貸し機を示す概略外観斜視図、およびその補給扉の部分を示す部分断面図である。
【図６】(ａ)〜(ｃ)はそれぞれ、キーシリンダを示す側面図、キーシリンダの背面図、および、ロック部材の平面図である。
【図７】(ａ)および(ｂ)は、メダル補給扉の施錠を解除して開いた状態を示す部分斜視図および部分断面図である。
【図８】(ａ)および(ｂ)は鍵板を元の位置まで戻して抜き取った状態を示す部分斜視図および部分断面図である。
【符号の説明】
【００５４】
１  メダル貸し機、２  筐体、２ｂ  張り出し部、２ｃ  下面部分、５  開口部、６  メダル補給扉、３０  キーシリンダ、３２  鍵穴、３３  ロック部材、３３Ａ  ロック位置、３３Ｂ  アンロック位置、３４  キーシリンダ本体、３４Ａ  第１位置、３４Ｂ  第２位置、３５  キーシリンダ回転軸、３８  回転板、３８ａ  突出部、３８ｂ  穴、３８ｃ  上端面、３８ｄ  端面、４０  鍵板、５１  第１回転阻止部材、５２  第２回転阻止部材、５４  棒バネ、Ａ  第１回転方向、Ｂ  第２回転方向
【図１】
2007297789.tif 000003
【図２】
2007297789.tif 000004
【図３】
2007297789.tif 000005
【図４】
2007297789.tif 000006
【図５】
2007297789.tif 000007
【図６】
2007297789.tif 000008
【図７】
2007297789.tif 000009
【図８】
2007297789.tif 000010